(57)【要約】【課題】仮想空間上で他の利用者に画面操作を代行させる。【解決手段】仮想空間提供サーバ２０は、仮想空間上で利用者同士４０１，４１１，５０１がコミュニケーションする場所を提供する仮想空間画面設定部２０１と、利用者４０１，４１１の分身が利用者５０１の分身に対し画面操作権を委任または解任した場合に、利用者５０１に画面操作権を設定またはその設定を解除する画面操作権設定部２０２と、利用者５０１が仮想空間提供サーバ２０に登録したＷＥＢサーバ３に対するコマンドを、ＷＥＢサーバ３に転送するコマンド転送部２０３と、ＷＥＢサーバ３からのＷＥＢ情報を利用者４０１，４１１の端末４０，４１と利用者５０１の端末５０とに各々転送するＷＥＢ情報転送部２０４と、利用者５０１が画面操作をした際の画面操作情報を、利用者４０１，４１１の端末４０，４１に転送する画面操作情報転送部２０５とを有する。【選択図】　　　図１
2004021606.tif 000002
【特許請求の範囲】
【請求項１】
インターネット上に仮想空間を構築し、該仮想空間上で各種のインターネットサービスを提供する仮想空間提供サーバと、前記仮想空間提供サーバに前記インターネットを介してログイン可能な端末と、前記インターネット上にコンテンツを提供するＷＥＢサーバと、を有してなる仮想空間提供サーバを用いたインターネットサービス提供システムにおいて、
前記仮想空間提供サーバは、
前記仮想空間にログイン中の前記端末の利用者の分身を前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し画面操作権を委任または解任し、当該他の利用者が前記端末を用いて自分の分身を操作して、前記画面操作権の委任または解任を受託した場合に、当該他の利用者に対して前記画面操作権を設定またはその設定を解除する機能を備えた画面操作権設定手段と、
前記画面操作権を委任された利用者が前記端末を用いて前記ＷＥＢサーバに対するコマンドを前記仮想空間提供サーバに登録した場合に、当該コマンドを前記ＷＥＢサーバに転送する機能を備えたコマンド転送手段と、
前記画面操作権を委任された利用者が前記端末を用いて前記ＷＥＢサーバからＷＥＢ情報を取り出した場合に、当該ＷＥＢ情報を、前記画面操作権を委任された利用者の端末と前記画面操作権を委任した利用者の端末とにそれぞれ転送する機能を備えたＷＥＢ情報転送手段と、
前記画面操作権を委任された利用者が前記端末を用いて画面操作をした際の画面操作情報を、前記画面操作権を委任した利用者の端末に転送する機能を備えた画面操作情報転送手段と、を有することを特徴とする仮想空間提供サーバを用いたインターネットサービス提供システム。
【請求項２】
インターネット上に仮想空間を構築し、該仮想空間上で各種のインターネットサービスを提供する仮想空間提供サーバと、前記仮想空間提供サーバに前記インターネットを介してログイン可能な端末と、を有してなる仮想空間提供サーバを用いたインターネットサービス提供システムにおいて、
前記仮想空間提供サーバは、
前記仮想空間にログイン中の前記端末の利用者の分身を前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し音声による通話を依頼し、当該他の利用者が前記端末を用いて自分の分身を操作して、音声通話依頼を受託した場合に、各利用者の端末間に音声回線を設定する機能を備えた音声回線設定手段と、を有することを特徴とする仮想空間提供サーバを用いたインターネットサービス提供システム。
【請求項３】
インターネット上に仮想空間を構築し、該仮想空間上で各種のインターネットサービスを提供する仮想空間提供サーバと、前記仮想空間提供サーバに前記インターネットを介してログイン可能な端末と、を有してなる仮想空間提供サーバを用いたインターネットサービス提供システムにおいて、
前記仮想空間提供サーバは、
前記仮想空間にログイン中の前記端末の利用者の分身を前記仮想空間上に登場させるとともに、前記仮想空間からログアウト中の前記端末の利用者に対応するオブジェクトを前記仮想空間上に登場させ、前記仮想空間上で前記利用者同士がコミュニケーションする場所を提供する機能を備えた仮想空間画面設定手段と、前記仮想空間にログイン中のある利用者が前記端末を用いて自分の分身を操作して、当該仮想空間からログアウト中の他の利用者に対応するオブジェクトにメッセージを託した場合に、当該メッセージを当該他の利用者が予め設定した手段に対して転送する機能を備えたメッセージ転送手段と、を有することを特徴とする仮想空間提供サーバを用いたインターネットサービス提供システム。
【請求項４】
インターネット上に仮想空間を構築し、該仮想空間上で各種のインターネットサービスを提供する仮想空間提供サーバと、前記仮想空間提供サーバに前記インターネットを介してログイン可能な端末と、前記インターネット上にコンテンツを提供するＷＥＢサーバと、を有してなる仮想空間提供サーバを用いたインターネットサービス提供システムにおいて、
前記仮想空間提供サーバは、
前記仮想空間にログイン中の前記端末の利用者の分身を前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し画面操作権を委任または解任し、当該他の利用者が前記端末を用いて自分の分身を操作して、前記画面操作権の委任または解任を受託した場合に、当該他の利用者に対して前記画面操作権を設定またはその設定を解除する機能を備えた画面操作権設定手段と、
前記画面操作権を委任された利用者が前記端末を用いて前記ＷＥＢサーバに対するコマンドを前記仮想空間提供サーバに登録した場合に、当該コマンドを前記ＷＥＢサーバに転送する機能を備えたコマンド転送手段と、
前記画面操作権を委任された利用者が前記端末を用いて前記ＷＥＢサーバからＷＥＢ情報を取り出した場合に、当該ＷＥＢ情報を、前記画面操作権を委任された利用者の端末と前記画面操作権を委任した利用者の端末とにそれぞれ転送する機能を備えたＷＥＢ情報転送手段と、
前記画面操作権を委任された利用者が前記端末を用いて画面操作をした際の画面操作情報を、前記画面操作権を委任した利用者の端末に転送する機能を備えた画面操作情報転送手段と、
前記仮想空間にログイン中のある利用者が前記端末を用いて自分の分身を操作して、当該仮想空間にログイン中の他の利用者の分身に対し音声による通話を依頼し、当該他の利用者が前記端末を用いて自分の分身を操作して、音声通話依頼を受託した場合に、各利用者の端末間に音声回線を設定する機能を備えた音声回線設定手段と、を有することを特徴とする仮想空間提供サーバを用いたインターネットサービス提供システム。
【請求項５】
インターネット上に仮想空間を構築し、該仮想空間上で各種のインターネットサービスを提供する仮想空間提供サーバと、前記仮想空間提供サーバに前記インターネットを介してログイン可能な端末と、前記インターネット上にコンテンツを提供するＷＥＢサーバと、を有してなる仮想空間提供サーバを用いたインターネットサービス提供システムにおいて、
前記仮想空間提供サーバは、
前記仮想空間にログイン中の前記端末の利用者の分身を前記仮想空間上に登場させるとともに、前記仮想空間からログアウト中の前記端末の利用者に対応するオブジェクトを前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し画面操作権を委任または解任し、当該他の利用者が前記端末を用いて自分の分身を操作して、前記画面操作権の委任または解任を受託した場合に、当該他の利用者に対して前記画面操作権を設定またはその設定を解除する機能を備えた画面操作権設定手段と、
前記画面操作権を委任された利用者が前記端末を用いて前記ＷＥＢサーバに対するコマンドを前記仮想空間提供サーバに登録した場合に、当該コマンドを前記ＷＥＢサーバに転送する機能を備えたコマンド転送手段と、
前記画面操作権を委任された利用者が前記端末を用いて前記ＷＥＢサーバからＷＥＢ情報を取り出した場合に、当該ＷＥＢ情報を、前記画面操作権を委任された利用者の端末と前記画面操作権を委任した利用者の端末とにそれぞれ転送する機能を備えたＷＥＢ情報転送手段と、
前記画面操作権を委任された利用者が前記端末を用いて画面操作をした際の画面操作情報を、前記画面操作権を委任した利用者の端末に転送する機能を備えた画面操作情報転送手段と、
前記仮想空間にログイン中のある利用者が前記端末を用いて自分の分身を操作して、当該仮想空間からログアウト中の他の利用者に対応するオブジェクトにメッセージを託した場合に、当該メッセージを当該他の利用者が予め設定した手段に対して転送する機能を備えたメッセージ転送手段と、を有することを特徴とする仮想空間提供サーバを用いたインターネットサービス提供システム。
【請求項６】
インターネット上に仮想空間を構築し、該仮想空間上で各種のインターネットサービスを提供する仮想空間提供サーバと、前記仮想空間提供サーバに前記インターネットを介してログイン可能な端末と、を有してなる仮想空間提供サーバを用いたインターネットサービス提供システムにおいて、
前記仮想空間提供サーバは、
前記仮想空間にログイン中の前記端末の利用者の分身を前記仮想空間上に登場させるとともに、前記仮想空間からログアウト中の前記端末の利用者に対応するオブジェクトを前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し音声による通話を依頼し、当該他の利用者が前記端末を用いて自分の分身を操作して、音声通話依頼を受託した場合に、各利用者の端末間に音声回線を設定する機能を備えた音声回線設定手段と、
前記仮想空間にログイン中のある利用者が前記端末を用いて自分の分身を操作して、当該仮想空間からログアウト中の他の利用者に対応するオブジェクトにメッセージを託した場合に、当該メッセージを当該他の利用者が予め設定した手段に対して転送する機能を備えたメッセージ転送手段と、を有することを特徴とする仮想空間提供サーバを用いたインターネットサービス提供システム。
【請求項７】
インターネット上に仮想空間を構築し、該仮想空間上で各種のインターネットサービスを提供する仮想空間提供サーバと、前記仮想空間提供サーバに前記インターネットを介してログイン可能な端末と、前記インターネット上にコンテンツを提供するＷＥＢサーバと、を有してなる仮想空間提供サーバを用いたインターネットサービス提供システムにおいて、
前記仮想空間提供サーバは、
前記仮想空間にログイン中の前記端末の利用者の分身を前記仮想空間上に登場させるとともに、前記仮想空間からログアウト中の前記端末の利用者に対応するオブジェクトを前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し画面操作権を委任または解任し、当該他の利用者が前記端末を用いて自分の分身を操作して、前記画面操作権の委任または解任を受託した場合に、当該他の利用者に対して前記画面操作権を設定またはその設定を解除する機能を備えた画面操作権設定手段と、
前記画面操作権を委任された利用者が前記端末を用いて前記ＷＥＢサーバに対するコマンドを前記仮想空間提供サーバに登録した場合に、当該コマンドを前記ＷＥＢサーバに転送する機能を備えたコマンド転送手段と、
前記画面操作権を委任された利用者が前記端末を用いて前記ＷＥＢサーバからＷＥＢ情報を取り出した場合に、当該ＷＥＢ情報を、前記画面操作権を委任された利用者の端末と前記画面操作権を委任した利用者の端末とにそれぞれ転送する機能を備えたＷＥＢ情報転送手段と、
前記画面操作権を委任された利用者が前記端末を用いて画面操作をした際の画面操作情報を、前記画面操作権を委任した利用者の端末に転送する機能を備えた画面操作情報転送手段と、
前記仮想空間にログイン中のある利用者が前記端末を用いて自分の分身を操作して、当該仮想空間にログイン中の他の利用者の分身に対し音声による通話を依頼し、当該他の利用者が前記端末を用いて自分の分身を操作して、音声通話依頼を受託した場合に、各利用者の端末間に音声回線を設定する機能を備えた音声回線設定手段と、
前記仮想空間にログイン中のある利用者が前記端末を用いて自分の分身を操作して、当該仮想空間からログアウト中の他の利用者に対応するオブジェクトにメッセージを託した場合に、当該メッセージを当該他の利用者が予め設定した手段に対して転送する機能を備えたメッセージ転送手段と、を有することを特徴とする仮想空間提供サーバを用いたインターネットサービス提供システム。
【請求項８】
前記画面操作権設定手段は、前記画面操作権を委任された利用者に前記画面操作権をどのレベルまで許可するかを、前記画面操作権を委任した利用者に設定させる機能をさらに備える、請求項１、４、５、または７に記載の仮想空間提供サーバを用いたインターネットサービス提供システム。
【発明の詳細な説明】
【０００１】
【発明の属する技術分野】
本発明は、インターネット上に仮想空間を提供する仮想空間提供サーバを用いたインターネットサービス提供システムに関する。
【０００２】
【従来の技術】
図７は、従来の仮想空間提供サーバを用いたインターネットサービス提供システムを示す図である。図８は、図７に示した仮想空間提供サーバを用いたインターネットサービス提供システムの動作を説明する図である。
【０００３】
図７および図８に示すように本従来例は、インターネット１上に仮想空間を構築し、該仮想空間上で各種のインターネットサービスを提供する仮想空間提供サーバ６と、インターネット１を介して仮想空間提供サーバ６にログイン可能な１個または複数個の端末（図７、図８では、端末７６）と、インターネット１上にコンテンツを提供する１個または複数個のＷＥＢサーバ（図７、図８では、ＷＥＢサーバ３）とから構成される。
【０００４】
仮想空間提供サーバ６は、仮想空間画面設定部６１と、ＷＥＢ情報リンク部６２とを有している。
【０００５】
仮想空間画面設定部６１は、インターネット１上に仮想空間を構築し、仮想空間にログイン中の端末の利用者（図７、図８では、端末７６の利用者７６１）の分身を仮想空間に登場させ、仮想空間上で利用者同士がコミュニケーションする場所を提供する機能を備えている。なお、利用者７６１は、端末７６を用いて自分の分身を操作することで、仮想空間上で他の利用者とコミュニケーションを行う。
【０００６】
ＷＥＢ情報リンク部６２は、仮想空間上に配備した建物、人物等のオブジェクト（図８では郵便ポスト）を、インターネット１上でＷＥＢサーバ３が提供するコンテンツとリンクさせ、利用者（図７、図８では、利用者７６１）の分身を上記のオブジェクトにコンタクトさせることで、インターネット１上でＷＥＢサーバ３が提供するコンテンツを呼び出すことができる機能を備えている。
【０００７】
すなわち、ＷＥＢ情報リンク部６２は、仮想空間内にショッピングモール等が形成されている場合、そのショッピングモール内のストリートに立ち並ぶ建造物や掲示板等のひとつひとつを企業等のＵＲＬとリンクさせる機能を備えている。
【０００８】
【発明が解決しようとする課題】
上述したような従来技術においては、仮想空間内のオブジェクトと実際のインターネット上のＵＲＬをリンクさせることで検索のしやすさや見た目のわかりやすさがあるという利点があるものの、仮想空間上で行き先がわからない時や操作法がわからない時等、誰かに代わって操作してもらうことはできなかった。
【０００９】
また、コミュニケーションをとる手段もキーボードから入力され画面に表示される文字やキャラクタに限られており、音声によるコミュニケーションをとることができなかった。
【００１０】
また、コミュニケーションをとりたい相手が仮想空間提供サーバからログアウトしていれば、その相手にメッセージを送ることができなかった。
【００１１】
本発明の目的は、仮想空間上で他の利用者に操作を代行させることができる、仮想空間提供サーバを用いたインターネットサービス提供システムを提供することにある。
【００１２】
本発明の別の目的は、仮想空間上で他の利用者の分身と音声によるコミュニケーションをとることができる、仮想空間提供サーバを用いたインターネットサービス提供システムを提供することにある。
【００１３】
本発明のさらに別の目的は、仮想空間提供サーバからログアウトしている他の利用者に対してもメッセージ等を送ることができる、仮想空間提供サーバを用いたインターネットサービス提供システムを提供することにある。
【００１４】
【課題を解決するための手段】
上記目的を達成するために本発明の第１の態様による仮想空間提供サーバを用いたインターネットサービス提供システムは、
インターネット上に仮想空間を構築し、該仮想空間上で各種のインターネットサービスを提供する仮想空間提供サーバと、前記仮想空間提供サーバに前記インターネットを介してログイン可能な端末と、前記インターネット上にコンテンツを提供するＷＥＢサーバと、を有してなる仮想空間提供サーバを用いたインターネットサービス提供システムにおいて、
前記仮想空間提供サーバは、
前記仮想空間にログイン中の前記端末の利用者の分身を前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し画面操作権を委任または解任し、当該他の利用者が前記端末を用いて自分の分身を操作して、前記画面操作権の委任または解任を受託した場合に、当該他の利用者に対して前記画面操作権を設定またはその設定を解除する機能を備えた画面操作権設定手段と、
前記画面操作権を委任された利用者が前記端末を用いて前記ＷＥＢサーバに対するコマンドを前記仮想空間提供サーバに登録した場合に、当該コマンドを前記ＷＥＢサーバに転送する機能を備えたコマンド転送手段と、
前記画面操作権を委任された利用者が前記端末を用いて前記ＷＥＢサーバからＷＥＢ情報を取り出した場合に、当該ＷＥＢ情報を、前記画面操作権を委任された利用者の端末と前記画面操作権を委任した利用者の端末とにそれぞれ転送する機能を備えたＷＥＢ情報転送手段と、
前記画面操作権を委任された利用者が前記端末を用いて画面操作をした際の画面操作情報を、前記画面操作権を委任した利用者の端末に転送する機能を備えた画面操作情報転送手段と、を有することを特徴とするものである。
【００１５】
この構成によれば、利用者は、画面操作がよくわからないときに、誰かに代わって操作してもらうことが可能となる。また、画面操作権を委任された利用者と委任した利用者とでＷＥＢ情報を共有することが可能となる。この場合、前記画面操作権設定手段は、前記画面操作権を委任された利用者に前記画面操作権をどのレベルまで許可するかを、前記画面操作権を委任した利用者に設定させる機能をさらに備えることとしても良い。
【００１６】
上記目的を達成するために本発明の第２の態様による仮想空間提供サーバを用いたインターネットサービス提供システムは、
インターネット上に仮想空間を構築し、該仮想空間上で各種のインターネットサービスを提供する仮想空間提供サーバと、前記仮想空間提供サーバに前記インターネットを介してログイン可能な端末と、を有してなる仮想空間提供サーバを用いたインターネットサービス提供システムにおいて、
前記仮想空間提供サーバは、
前記仮想空間にログイン中の前記端末の利用者の分身を前記仮想空間上に登場させ、前記仮想空間上で前記利用者同士がコミュニケーションする場所を提供する機能を備えた仮想空間画面設定手段と、
前記仮想空間にログイン中のある利用者が前記端末を用いて自分の分身を操作して、当該仮想空間にログイン中の他の利用者の分身に対し音声による通話を依頼し、当該他の利用者が前記端末を用いて自分の分身を操作して、音声通話依頼を受託した場合に、各利用者の端末間に音声回線を設定する機能を備えた音声回線設定手段と、を有することを特徴とするものである。
【００１７】
この構成によれば、仮想空間上で、利用者同士が、個人識別情報を相互に知ること無しに音声通話によるコミュニケーションをとることが可能となる。
【００１８】
上記目的を達成するために本発明の第３の態様による仮想空間提供サーバを用いたインターネットサービス提供システムは、
インターネット上に仮想空間を構築し、該仮想空間上で各種のインターネットサービスを提供する仮想空間提供サーバと、前記仮想空間提供サーバに前記インターネットを介してログイン可能な端末と、を有してなる仮想空間提供サーバを用いたインターネットサービス提供システムにおいて、
前記仮想空間提供サーバは、
前記仮想空間にログイン中の前記端末の利用者の分身を前記仮想空間上に登場させるとともに、前記仮想空間からログアウト中の前記端末の利用者に対応するオブジェクトを前記仮想空間上に登場させ、前記仮想空間上で前記利用者同士がコミュニケーションする場所を提供する機能を備えた仮想空間画面設定手段と、前記仮想空間にログイン中のある利用者が前記端末を用いて自分の分身を操作して、当該仮想空間からログアウト中の他の利用者に対応するオブジェクトにメッセージを託した場合に、当該メッセージを当該他の利用者が予め設定した手段に対して転送する機能を備えたメッセージ転送手段と、を有することを特徴とするものである。
【００１９】
この構成によれば、ある利用者は、コミュニケーションをとりたい他の利用者が仮想空間からログアウト中でも、他の利用者の個人識別情報や電話番号・電子メールアドレス等を知ること無しに、電子メール、ボイスメール等でメッセージを送ることが可能となる。
【００２０】
なお、本発明は、上述した第１〜第３の態様を２個または３個組み合わせた構成としても良い。
【００２１】
【発明の実施の形態】
以下に、本発明の実施の形態について図面を参照して説明する。
【００２２】
（第１の実施形態）
図１は、本発明の第１の実施形態による仮想空間提供サーバを用いたインターネットサービス提供システムを示す図である。
【００２３】
図１に示すように本実施形態は、インターネット１上に仮想空間を構築し、該仮想空間上で各種のインターネットサービスを提供する仮想空間提供サーバ２０と、インターネット１を介して仮想空間提供サーバ２０にログイン可能な１個または複数個の端末（図１では、端末４０，４１，５０）と、インターネット１上でコンテンツを提供する１個または複数個のＷＥＢサーバ（図１では、ＷＥＢサーバ３）とから構成される。
【００２４】
仮想空間提供サーバ２０は、仮想空間画面設定部２０１と、画面操作権設定部２０２と、コマンド転送部２０３と、ＷＥＢ情報転送部２０４と、画面操作情報転送部２０５とを有している。
【００２５】
仮想空間画面設定部２０１は、インターネット１上に仮想空間（街並等の背景）を構築し、仮想空間にログイン中の端末の利用者（図１では、端末４０，４１，５０の利用者４０１，４１１，５０１）の分身を仮想空間上に登場させ、仮想空間上で利用者同士がコミュニケーションする場所を提供する機能を備えている。なお、各利用者４０１，４１１，５０１は、端末４０，４１，５０を用いて自分の分身を操作することで、仮想空間上で他の利用者とコミュニケーションを行う。
【００２６】
画面操作権設定部２０２は、操作依頼者（図１では、利用者４０１，４１１）が、操作代行者（図１では、利用者５０１）に「画面操作権」を委任または解任するコマンドを入力した場合に、操作代行者の端末（図１では、利用者５０１の端末５０）に操作依頼の委任または解任を受託するかを問うデータを送信する。そして、操作代行者（図１では、利用者５０１）から操作代行依頼の委任または解任を受託するコマンドが入力された場合に、操作代行者（図１では、利用者５０１）に「画面操作権」を設定またはその設定を解除する機能を備えている。
【００２７】
また、画面操作権設定部２０２は、仮想空間上の利用者４０１，４１１，５０１の分身に対し、利用者４０１，４１１，５０１からのコマンドに対応した動きをさせるとともに、利用者４０１，４１１，５０１からのコマンドに対応したメッセージを画面に表示させて応答させるか、音声で応答させるか、あるいは両方で応答させるための動作コマンドを与える機能を備えている。
【００２８】
仮想空間上の利用者４０１，４１１，５０１の分身は、端末４０，４１，５０や画面操作権設定部２０２から与えられた動作コマンドに対応して、予め決められた動きをするとともに、予め決められたメッセージを画面に表示して応答するか、音声で応答するか、あるいは両方で応答する。
【００２９】
例えば、利用者４０１は、「画面操作権」を操作代行者である利用者５０１に委任する場合、利用者５０１を指定して、画面操作代行を依頼するコマンドを端末４０から画面操作権設定部２０２に入力する。すると、画面操作権設定部２０２は、利用者４０１からの検索操作代行依頼を受託するかを問うデータを利用者５０１の端末５０に送信するとともに、仮想空間上の利用者４０１の分身に対し、利用者４０１からのコマンドに対応したメッセージを表示等させるための動作コマンドを与える。これを受けて、利用者４０１の分身は、利用者４０１からのコマンドに対応したメッセージの表示等を行う。
【００３０】
一方、利用者５０１は、利用者４０１からの検索操作代行依頼を受託する場合、検索操作代行依頼を受託するコマンドを端末５０から画面操作権設定部２０２に入力する。すると、画面操作権設定部２０２は、利用者５０１に「画面操作権」を一時的に設定するとともに、仮想空間上の利用者５０１の分身に対し、利用者５０１からのコマンドに対応したメッセージを表示等させるための動作コマンドを与える。これを受けて、利用者５０１の分身は、利用者５０１からのコマンドに対応したメッセージの表示等を行う。
【００３１】
また、画面操作権設定部２０２は、操作代行者（図１では、利用者５０１）に「画面操作権」をどのレベルまで許可するか、操作依頼者（図１では、利用者４０１，４１１）に設定させる機能を備えている。すなわち、全ての操作を許可するか、操作代行者（図１では、利用者５０１）が操作した結果を閲覧するのみ等、一部の操作に限定して許可するかを設定させる機能を備えている。
【００３２】
例えば、画面操作権設定部２０２には、電子ショッピングにおける買い物行為やソフトウェア等のダウンロード行為まで許可するか、電子ショッピングにおける買い物行為やソフトウェア等のダウンロード行為は禁止する等が設定される。
【００３３】
コマンド転送部２０３は、画面操作権設定部２０２で設定された操作代行者（図１では、利用者５０１）が、インターネット１上のＷＥＢサーバ３に対するコマンドを仮想空間提供サーバ２０に登録した場合に、そのコマンドをインターネット１上のＷＥＢサーバ３に転送する機能を備えている。
【００３４】
ＷＥＢ情報転送部２０４は、操作代行者（図１では、利用者５０１）が、インターネット１上のＷＥＢサーバ３から取り出したＷＥＢ情報を、操作代行者の端末（図１では、利用者５０１の端末５０）と操作依頼者の端末（図１では、利用者４０１，４１１の端末４０，４１）にそれぞれ転送する機能を備えている。それにより、「画面操作権」を委任した利用者（図１では、利用者４０１，４１１）と委任された利用者（図１では、利用者５０１）との間で、ＷＥＢ情報を共有することが可能となる。
【００３５】
画面操作情報転送部２０５は、操作代行者（図１では、利用者５０１）が画面操作をした際の画面操作情報（例えば、カーソル位置等）を操作依頼者（図１では、利用者４０１，４１１）に転送する機能を備えている。
【００３６】
端末４０，４１，５０は、インターネット１に接続し、ＷＥＢサーバ３へアクセス可能で、かつ仮想空間提供サーバ２０にログイン可能な機能を備えたＰＣ等の端末機器である。その他、仮想空間画面設定部２０１が提供する仮想空間を表示する機能や、利用者４０１，４１１，５０１の分身を操作するためのコマンドを生成および送信する機能や、操作代行者（図１では、利用者５０１）がアクセスしたＷＥＢサーバ３からのＷＥＢ情報を受信および表示する機能や、操作代行者（図１では、利用者５０１）が画面操作をした際の画面操作情報を受信および表示する機能を備えている。
【００３７】
以下に、図１に示した本実施形態の動作として、利用者４０１が、ＷＥＢサーバ３が提供するコンテンツ画面のＵＲＬを利用者５０１に検索してもらう場合の動作について、図２を用いて説明する。
【００３８】
仮想空間画面設定部２０１が提供する、例えば街の通り等の仮想空間上には、利用者４０１，４１１，５０１の各々の分身が登場している。
【００３９】
利用者４０１は、端末４０から仮想空間提供サーバ２０の画面操作権設定部２０２に対して、利用者５０１を指定して、検索操作代行を依頼するコマンドを入力する。
【００４０】
すると、画面操作権設定部２０２は、利用者４０１からの検索操作代行依頼を受託するかを問うデータを利用者５０１の端末５０に送信するとともに、仮想空間上の利用者４０１の分身に対し、利用者４０１からのコマンドに対応したメッセージを表示等させるための動作コマンドを与える。これを受けて、仮想空間上の利用者４０１の分身は、例えば、「画面操作権」に対応するオブジェクトを利用者５０１の分身に差し出す動作をするとともに、「画面を渡しますから案内してもらえますか？」というメッセージを画面に表示して応答するか、音声で応答するか、あるいは両方で応答する。
【００４１】
さらに、画面操作権設定部２０２は、利用者５０１から検索操作代行依頼を受託するコマンドが入力された場合、「画面操作権」を一時的に利用者５０１に設定するとともに、仮想空間上の利用者５０１の分身に対し、利用者５０１からのコマンドに対応したメッセージを表示等させるための動作コマンドを与える。これを受けて、仮想空間上の利用者５０１の分身は、例えば、利用者４０１の分身から差し出された「画面操作権」というオブジェクトを受け取る動作をするとともに、「わかりました」というメッセージを画面に表示するか、音声で応答するか、あるいは両方で応答する。
【００４２】
また、利用者４１１も、同じコンテンツ画面のＵＲＬを検索してもらいたい場合、利用者４０１と同様に、端末４１から仮想空間提供サーバ２０の画面操作権設定部２０２に対して、利用者５０１を指定して、検索操作代行を依頼するコマンドを入力する。このように操作依頼する利用者は複数でもよい。
【００４３】
「画面操作権」が設定された利用者５０１は、端末５０を用いてＷＥＢサーバ３が提供するコンテンツ画面のＵＲＬを検索する。その際に、利用者５０１が仮想空間提供サーバ２０に入力したコマンドは、仮想空間提供サーバ２０のコマンド転送部２０３によりアクセス先のＷＥＢサーバ３に転送される。
【００４４】
ＷＥＢサーバ３からのＷＥＢ情報は、仮想空間提供サーバ２０のＷＥＢ情報転送部２０４により、操作依頼者である各利用者４０１，４１１の各端末４０，４１と操作代行者である利用者５０１の端末５０とに転送され、各端末４０，４１，５０の画面に表示される。
【００４５】
また、操作代行者である利用者５０１が画面操作をした際のカーソル位置等の画面操作情報は、仮想空間提供サーバ２０の画面操作情報転送部２０５により、操作依頼者である各利用者４０１，４１１の各端末４０，４１に転送され、各端末４０，４１の画面に表示される。
【００４６】
なお、本実施形態では、ＷＥＢサーバ３のコンテンツ画面のＵＲＬ検索を行う画面操作を例に挙げて説明したが、一般にＷＥＢ上で行う画面操作であれば何れの画面操作にも適用することができる。
【００４７】
（第２の実施形態）
図３は、本発明の第２の実施形態による仮想空間提供サーバを用いたインターネットサービス提供システムを示す図である。
【００４８】
図３に示すように本実施形態は、インターネット１上に仮想空間を構築し、該仮想空間上で各種のインターネットサービスを提供する仮想空間提供サーバ２１と、インターネット１を介して仮想空間提供サーバ２１にログイン可能な１個または複数個の端末（図３では、端末４２，４３）とから構成される。なお、図３においては、１個または複数個のＷＥＢサーバがインターネット１に接続されていても良い。
【００４９】
仮想空間提供サーバ２１は、仮想空間画面設定部２１１と、ＶｏＩＰ（Ｖｏｉｃｅ　ｏｖｅｒ　ＩＰ）回線設定部２１２とを有している。
【００５０】
仮想空間画面設定部２１１は、インターネット１上に仮想空間（街並等の背景）を構築し、仮想空間にログイン中の端末の利用者（図３では、端末４２，４３の利用者４２１，４３１）の分身を仮想空間上に登場させ、仮想空間上で利用者同士がコミュニケーションする場所を提供する機能を備えている。なお、各利用者４２１，４３１は、端末４２，４３を用いて自分の分身を操作することで、仮想空間上で他の利用者とコミュニケーションを行う。
【００５１】
ＶｏＩＰ回線設定部２１２は、例えば、利用者４２１が利用者４３１と音声によるコミュニケーションをとるために、端末４２から利用者４２１，４３１間の音声回線開設を指示するコマンドを入力した場合に、利用者４２１，４３１間の音声回線開設を許可するかを問うデータを利用者４３１の端末４３に送信する。そして、利用者４３１が音声回線開設を許可するコマンドを入力した場合に、利用者４２１，４３１間に音声回線を開設する機能を備えている。
【００５２】
具体的には、ＶｏＩＰ回線設定部２１２は、利用者４２１，４３１間に音声回線を開設する場合、利用者４２１の端末４２と利用者４３１の端末４３との間に、音声チャネル用のパスをＶｏＩＰなどの手段で開通させ、利用者４２１の端末との間に開設された音声チャネルからの音声トラフィックを利用者４３１の端末との間に開設された音声チャネルに転送し、利用者４３１の端末との間に開設された音声チャネルからの音声トラフィックを利用者４２１の端末との間に開設された音声チャネルに転送する機能を備えている。
【００５３】
また、ＶｏＩＰ回線設定部２１２は、仮想空間上の利用者４２１，４３１の分身に対し、利用者４２１，４３１からのコマンドに対応した動きをさせるとともに、利用者４２１，４３１からのコマンドに対応したメッセージを画面に表示させて応答させるか、音声で応答させるか、あるいは両方で応答させるための動作コマンドを与える機能を備えている。
【００５４】
仮想空間上の利用者４２１，４３１の分身は、端末４２，４３やＶｏＩＰ回線設定部２１２から与えられた動作コマンドに対応して、予め決められた動きをするとともに、予め決められたメッセージを画面に表示して応答するか、音声で応答するか、あるいは両方で応答する。
【００５５】
例えば、利用者４２１は、利用者４３１と音声によるコミュニケーションをとりたい場合、利用者４２１，４３１間の音声回線開設を指示するコマンドを、端末４２からＶｏＩＰ回線設定部２１２に入力する。すると、ＶｏＩＰ回線設定部２１２は、利用者４２１，４３１間の音声回線開設を許可するかを問うデータを利用者４３１の端末４３に送信するとともに、仮想空間上の利用者４２１の分身に対し、利用者４２１からのコマンドに対応したメッセージを表示等させるための動作コマンドを与える。これを受けて、利用者４２１の分身は、利用者４２１からのコマンドに対応したメッセージの表示等を行う。
【００５６】
一方、利用者４３１は、利用者４２１，４３１間の音声チャネル開設を許可する場合、音声チャネル開設を許可するコマンドを、端末４３からＶｏＩＰ回線設定部２１２に入力する。すると、ＶｏＩＰ回線設定部２１２は、利用者４２１，４３１間に音声回線を設定するとともに、仮想空間上の利用者４３１の分身に対し、利用者４３１からのコマンドに対応したメッセージを表示等させるための動作コマンドを与える。これを受けて、利用者４３１の分身は、利用者４３１からのコマンドに対応したメッセージの表示等を行う。
【００５７】
端末４２，４３は、インターネット１に接続し、仮想空間提供サーバ２０にログイン可能な機能を備えたＰＣ等の端末機器である。その他、利用者４２１，４３１の音声を符号化しＶｏＩＰ回線設定部２１２との間に開設された音声チャネル上に伝送し、同じく音声チャネルからの音声データを音声に復号する機能や、仮想空間画面設定部２０１が提供する仮想空間を表示する機能や、利用者４２１，４３１の分身を操作するためのコマンドを生成および送信する機能を備えている。
【００５８】
以下に、図３に示した本実施形態の動作として、利用者４２１が、利用者４３１との音声による通話を依頼する場合の動作について、図４を用いて説明する。
【００５９】
仮想空間画面設定部２１１が提供する、例えば街の通り等の仮想空間上には、利用者４２１，４３１の各々の分身が登場している。
【００６０】
利用者４２１は、利用者４３１と音声による通話を行うために、端末４２から仮想空間提供サーバ２１のＶｏＩＰ回線設定部２１２に対して、利用者４２１，４３１間の音声回線開設を指示するコマンドを入力する。
【００６１】
すると、ＶｏＩＰ回線設定部２１２は、利用者４２１，４３１間の音声チャネル開設を許可するかを問うデータを利用者４３１の端末４３に送信するとともに、仮想空間上の利用者４２１の分身に対し、利用者４２１からのコマンドに対応したメッセージを表示等させるための動作コマンドを与える。これを受けて、仮想空間上の利用者４２１の分身は、例えば、電話の受話器を耳に当てる動作をするとともに、「電話で説明していただけますか？」というメッセージを画面に表示して応答するか、音声で応答するか、あるいは両方で応答する。
【００６２】
さらに、ＶｏＩＰ回線設定部２１２は、利用者４３１から音声チャネル開設を許可するコマンドが入力された場合、利用者４２１，４３１間に音声回線を設定するとともに、仮想空間上の利用者４３１の分身に対し、利用者４３１からのコマンドに対応したメッセージを表示等させるための動作コマンドを与える。これを受けて、仮想空間上の利用者４３１の分身は、例えば、電話の受話器を耳に当てる動作をするとともに、「そうですね」というメッセージを画面に表示して応答するか、音声で応答するか、あるいは両方で応答する。
【００６３】
これにより、利用者４２１と利用者４３１との合意のもとに、端末４２，４３間に音声回線が設定され、音声による通話を行うことができる。
【００６４】
このように、利用者同士が、お互いの電話番号や会員番号等の個人識別情報を相互に知らせることなく音声による通話を行うことができる。それにより、仮想空間提供サーバ２１が提供する仮想空間内での店頭販売や、出会いの場を提供するサービスに利用できる。
【００６５】
（第３の実施形態）
図５は、本発明の第３の実施形態による仮想空間提供サーバを用いたインターネットサービス提供システムを示す図である。
【００６６】
図５に示すように本実施形態は、インターネット１上に仮想空間を構築し、該仮想空間上で各種のインターネットサービスを提供する仮想空間提供サーバ２２と、インターネット１を介して仮想空間提供サーバ２２にログイン可能な１個または複数個の端末（図５では、端末４４，４５）と、仮想空間提供サーバ２２から移動体網２等を介してメッセージ等を受信可能な１個または複数個の携帯電話（図５では、携帯電話４５２）とから構成される。なお、図５においては、１個または複数個のＷＥＢサーバがインターネット１に接続されていても良い。
【００６７】
仮想空間提供サーバ２２は、仮想空間画面設定部２２１と、メッセージ転送部２２２とを有している。
【００６８】
仮想空間画面設定部２２１は、インターネット１上に仮想空間（街並等の背景）を構築し、仮想空間にログイン中の端末の利用者（図５では、端末４４の利用者４４１）の分身を仮想空間上に登場させるとともに、仮想空間からログアウト中の端末の利用者（図５では、端末４５の利用者４５１）に対応するオブジェクト（例えば、利用者の分身、もしくは利用者の自宅）を仮想空間上に残存して登場させ、仮想空間上で利用者同士がコミュニケーションする場所を提供する機能を備えている。なお、仮想空間にログイン中の利用者（図５では、利用者４４１）は、端末（図５では、端末４４）を用いて自分の分身を操作することで、仮想空間上で他の利用者とコミュニケーションを行う。また、仮想空間からログアウト中の利用者（図５では、利用者４５１）は、仮想空間にログイン中の利用者（図５では、利用者４４１）からのコンタクトが発生した場合、予め設定した自動応答メッセージを画面に表示して応答するか、音声で応答するか、あるいは両方で応答することで、仮想空間上で他の利用者とコミュニケーションを行う。
【００６９】
メッセージ転送部２２２は、例えば、仮想空間にログイン中の利用者４４１が、ログアウト中の利用者４５１にコンタクトするためのコマンドを入力した場合に、仮想空間上の利用者４４１の分身に対し、利用者４４１からのコマンドに対応した動きをさせるとともに、利用者４４１からのコマンドに対応したメッセージを画面に表示させて応答させるか、音声で応答させるか、あるいは両方で応答させるための動作コマンドを与える機能を備えている。さらに、利用者４５１に対応するオブジェクトに対し、利用者４５１が予め設定した動きをさせるとともに、利用者４５１が予め設定した自動応答メッセージを画面に表示させて応答させるか、音声で応答させるか、あるいは両方で応答させるための動作コマンドを与える機能を備えている。
【００７０】
また、メッセージ転送部２２２は、例えば、仮想空間にログイン中の利用者４４１が、ログアウト中の利用者４５１に託すメッセージを入力した場合に、そのメッセージを利用者４５１が予め設定した手段、即ち携帯電話４５２その他に対して電子メールやボイスメールとして転送する機能を備えている。
【００７１】
仮想空間上の利用者４４１，４５１の分身、および仮想空間上の利用者４４１，４５１に対応するオブジェクトは、端末４４，４５やメッセージ転送部２２２から与えられた動作コマンドに対応して、予め決められた動きをするとともに、予め決められたメッセージを画面に表示して応答するか、音声で応答するか、あるいは両方で応答する。
【００７２】
例えば、仮想空間にログイン中の利用者４４１は、ログアウト中の利用者４５１とコンタクトする場合、そのためのコマンドを端末４４からメッセージ転送部２２２に入力する。すると、メッセージ転送部２２２は、仮想空間上の利用者４４１の分身に対し、利用者４４１からのコマンドに対応したメッセージを表示等させるための動作コマンドを与える。これを受けて、利用者４４１の分身は、利用者４４１からのコマンドに対応したメッセージの表示等を行う。さらに、メッセージ転送部２２２は、仮想空間上の利用者４５１に対応するオブジェクトに対し、利用者４５１が予め設定した自動応答メッセージを表示等させるための動作コマンドを与える。これを受けて、利用者４５１に対応するオブジェクトは、利用者４５１が予め設定した自動応答メッセージの表示等を行う。
【００７３】
仮想空間にログイン中の利用者４４１は、上記の自動応答メッセージの表示等により利用者４５１が仮想空間上で不在であることがわかるが、もし、利用者４５１と連絡をとりたい場合、端末４４からメッセージ転送部２２２にメッセージを入力する。すると、メッセージ転送部２２２は、利用者４４１から託されたメッセージを、利用者４５１が予め設定してある携帯電話４５２等に転送する。
【００７４】
端末４４，４５は、インターネット１に接続し、仮想空間提供サーバ２２にログイン可能な機能を備えたＰＣ等の端末機器である。その他、仮想空間画面設定部２０１が提供する仮想空間を表示する機能や、利用者４４１，４５１の分身を操作するためのコマンドを生成および送信する機能を備えている。
【００７５】
携帯電話４５２は、仮想空間提供サーバ２２から移動体網２等を介して、電子メールやボイスメールとしてメッセージを受信する機能を備えている。
【００７６】
以下に、図５に示した本実施形態の動作として、仮想空間にログイン中の利用者４４１が、仮想空間からログアウト中の利用者４５１にコンタクトする場合の動作について、図６を用いて説明する。
【００７７】
仮想空間画面設定部２２１が提供する、例えば街の通り等の仮想空間上には、仮想空間にログイン中の利用者４４１の分身が登場している他、仮想空間からログアウト中の利用者４５１に対応するオブジェクトも残存して登場している。
【００７８】
仮想空間にログイン中の利用者４４１は、端末４４から仮想空間提供サーバ２２のメッセージ転送部２２２に対して、ログアウト中の利用者４５１にコンタクトするためのコマンドを入力する。
【００７９】
すると、メッセージ転送部２２２は、仮想空間上の利用者４４１の分身に対し、利用者４４１からのコマンドに対応したメッセージを表示等させるための動作コマンドを与える。これを受けて、仮想空間上の利用者４４１の分身は、例えば、「もしもし起きてよ。」というメッセージを画面に表示して応答するか、音声で応答するか、あるいは両方で応答する。
【００８０】
さらに、メッセージ転送部２２２は、仮想空間上の利用者４５１に対応するオブジェクトに対し、利用者４５１が予め設定した自動応答メッセージを表示等させるための動作コマンドを与える。これを受けて、仮想空間上の利用者４５１に対応するオブジェクトは、例えば、予め利用者４５１が設定した「ぼくは、今いないよ。」という自動応答メッセージを画面に表示して応答するか、音声で応答するか、あるいは両方で応答する。
【００８１】
この自動応答メッセージの表示等により、利用者４４１は、利用者４５１が仮想空間上で不在であることがわかるが、もし、利用者４５１と連絡をとりたい場合は、端末４４から仮想空間提供サーバ２２のメッセージ転送部２２２に対して、利用者４５１に託すメッセージを入力する。
【００８２】
これを受けて、メッセージ転送部２２２は、利用者４４１から託されたメッセージを、利用者４５１が予め設定してある手段、即ち携帯電話４５２その他に対して、電子メールやボイスメールとして転送する。
【００８３】
このように、ログアウト時も、仮想空間上に分身もしくは「自宅」などのオブジェクトを残存させることで、ログイン中の利用者からの呼び出しやメッセージを受けることができる。それにより、仮想空間を通した新しい人間関係を創出し、その人間関係によりネットアクセスを増幅させることができる。
【００８４】
なお、本発明においては、第１〜第３の実施形態を各々独立に説明したが、第１〜第３の実施形態を２個または３個組み合わせた構成としてもよい。
【００８５】
【発明の効果】
本発明は以上説明したように構成されているため、以下に記載するような効果を奏する。
【００８６】
第１の効果は、仮想空間提供サーバ内に、仮想空間にログイン中のある利用者の分身が仮想空間にログイン中の他の利用者の分身に対し画面操作権を委任または解任し、当該他の利用者の分身が画面操作権の委任または解任を受託した場合に、当該他の利用者に対して画面操作権を設定またはその設定を解除する画面操作権設定手段を設けた構成としたため、利用者は、画面操作がよくわからないときに、誰かに代わって操作してもらうことができ、それにより、仮想空間上での店頭販売、遠隔案内・教育等に利用できるということである。
【００８７】
第２の効果は、仮想空間提供サーバ内に、画面操作権を委任された利用者がＷＥＢサーバから取り出したＷＥＢ情報を、画面操作権を委任された利用者の端末と委任した利用者の端末とに転送するＷＥＢ情報転送手段を設けた構成としたため、画面操作権を委任された利用者と委任した利用者とでＷＥＢ情報を共有することができるということである。
【００８８】
第３の効果は、仮想空間提供サーバ内に、仮想空間にログイン中のある利用者の分身が仮想空間にログイン中の他の利用者の分身に対し音声による通話を依頼し、当該他の利用者の分身が音声通話依頼を受託した場合に、当該利用者の端末間に音声回線を設定する音声回線設定手段を設けた構成としたため、他の利用者と音声通話によるコミュニケーションをとることができるということである。また、この場合、利用者同士が、個人識別情報を相互に知ること無しに音声通話によるコミュニケーションをとることができる。
【００８９】
第４の効果は、仮想空間提供サーバ内に、仮想空間にログイン中の利用者の分身が、仮想空間からログアウト中の他の利用者に対応するオブジェクトに対しメッセージを託した場合に、当該メッセージを当該他の利用者が予め設定した手段に対して転送するメッセージ転送手段を設けた構成としたため、コミュニケーションをとりたい利用者が仮想空間からログアウト中でも、その利用者にメッセージを送ることができるということである。また、この場合、利用者は、ログアウト中の他の利用者の個人識別情報や電話番号・電子メールアドレス等を知ること無しに、電子メール、ボイスメール等でメッセージを送ることができる。
【図面の簡単な説明】
【図１】本発明の第１の実施形態による仮想空間提供サーバを用いたインターネットサービス提供システムを示す図である。
【図２】図１に示した仮想空間提供サーバを用いたインターネットサービス提供システムの動作を説明する図である。
【図３】本発明の第２の実施形態による仮想空間提供サーバを用いたインターネットサービス提供システムを示す図である。
【図４】図３に示した仮想空間提供サーバを用いたインターネットサービス提供システムの動作を説明する図である。
【図５】本発明の第３の実施形態による仮想空間提供サーバを用いたインターネットサービス提供システムを示す図である。
【図６】図５に示した仮想空間提供サーバを用いたインターネットサービス提供システムの動作を説明する図である。
【図７】従来の仮想空間提供サーバを用いたインターネットサービス提供システムを示す図である。
【図８】図７に示した仮想空間提供サーバを用いたインターネットサービス提供システムの動作を説明する図である。
【符号の説明】
１　　インターネット
２　　移動体網
３　　ＷＥＢサーバ
２０，２１，２２　　仮想空間提供サーバ
４０，４１，４２，４３，４４，４５，５０　　端末
４０１，４１１，４２１，４３１，４４１，４５１，５０１　　利用者
４５２　　携帯電話
【図１】
2004021606.tif 000003
【図２】
2004021606.tif 000004
【図３】
2004021606.tif 000005
【図４】
2004021606.tif 000006
【図５】
2004021606.tif 000007
【図６】
2004021606.tif 000008
【図７】
2004021606.tif 000009
【図８】
2004021606.tif 000010